(57)【特許請求の範囲】
【請求項１】
柱と床梁と天井梁とを接合した建物構造体と、屋根フレームに屋根材を取着した屋根構造体とからなり、
建物構造体の柱の上端部に該建物構造体の上面に沿う屋根構造体を接合して、前記屋根フレームの外部側に水切カバーを取付ける施工を工場にておこなってユニット化してなるとともに、
屋根構造体の屋根フレームに、屋根構造体を建物構造体の上部に接合するための屋根構造体の工場生産段階での吊り上げと、屋根付き建物ユニットを現地で据付けるための屋根付き建物ユニットの現地施工段階での吊り上げの両方に共用される吊り上げ用ボルトのためのボルト取着部を備えてなるとともに、前記屋根フレームのコーナー部で前記水切カバーの外部側に、前記ボルト取着部に対応する部分にボルト挿通孔が設けられたコーナー屋根化粧材が取付けられていることを特徴とする屋根付き建物ユニット。
【請求項２】
前記建物構造体の柱の上端部にジョイントピンを取着するとともに、屋根構造体の屋根フレームに接合部を設け、
屋根構造体の上記接合部を建物構造体の上記ジョイントピンに嵌合し、該接合部を該ジョイントピンにボルト締結してなる請求項１記載の屋根付き建物ユニット。
【請求項３】
前記屋根構造体の屋根フレームに設けられる吊り上げ用ボルトのためのボルト取着部、及びジョイントピンのための接合部を、該屋根フレームの４隅のそれぞれにて、同一鉛直軸上の上下に配置してなる請求項１又は２に記載の屋根付き建物ユニット。
【請求項４】
前記コーナー屋根化粧材のボルト挿通孔を建物ユニットの現地据付後に閉じる閉塞材を備えてなる請求項１乃至３のいずれか一項に記載の屋根付き建物ユニット。
【発明の詳細な説明】
【０００１】
【発明の属する技術分野】
本発明は、建物の屋上に設けるペントハウス等として用いて好適な屋根付き建物ユニットに関する。
【０００２】
【従来の技術】
従来の建物ユニットでは、実公平1-24243 号公報に記載の如く、工場生産した建物ユニットを工場から現地に輸送して据付けた後、建物ユニットの上部に屋根構造体を吊り込み、屋根材を取着する等の現地施工を要している。
【０００３】
【発明が解決しようとする課題】
然しながら、従来技術には以下の問題点がある。
▲１▼現地で、屋根構造体を吊り込む吊り上げ作業や、足場を組んで屋根材を取着する等、施工時間が多大となる。
【０００４】
▲２▼建物ユニットの上部での高所作業を必要とし、作業性が悪い。
【０００５】
▲３▼建物ユニットの上部での屋根の納まりや防水の確認に困難がある。
【０００６】
本発明の課題は、建物ユニットの上部に屋根を設けるに際し、現地での施工時間を短縮し、作業性を向上し、屋根品質を向上することにある。
【０００７】
【課題を解決するための手段】
請求項１に記載の本発明は、柱と床梁と天井梁とを接合した建物構造体と、屋根フレームに屋根材を取着した屋根構造体とからなり、建物構造体の柱の上端部に該建物構造体の上面に沿う屋根構造体を接合して、前記屋根フレームの外部側に水切カバーを取付ける施工を工場にておこなってユニット化してなるとともに、屋根構造体の屋根フレームに、屋根構造体を建物構造体の上部に接合するための屋根構造体の工場生産段階での吊り上げと、屋根付き建物ユニットを現地で据付けるための屋根付き建物ユニットの現地施工段階での吊り上げの両方に共用される吊り上げ用ボルトのためのボルト取着部を備えてなるとともに、前記屋根フレームのコーナー部で前記水切カバーの外部側に、前記ボルト取着部に対応する部分にボルト挿通孔が設けられたコーナー屋根化粧材が取付けられていることを特徴とする。
【０００８】
請求項２に記載の本発明は、請求項１に記載の本発明において更に、前記建物構造体の柱の上端部にジョイントピンを取着するとともに、屋根構造体の屋根フレームに接合部を設け、屋根構造体の上記接合部を建物構造体の上記ジョイントピンに嵌合し、該接合部を該ジョイントピンにボルト締結してなるようにしたものである。
【０００９】
請求項３に記載の本発明は、請求項１又は２に記載の本発明において更に、前記屋根構造体の屋根フレームに設けられる吊り上げ用ボルトのためのボルト取着部、及びジョイントピンのための接合部を、該屋根フレームの４隅のそれぞれにて、同一鉛直軸上の上下に配置してなるようにしたものである。
【００１０】
請求項４に記載の本発明は、上記記載の本発明において更に、前記コーナー屋根化粧材のボルト挿通孔を建物ユニットの現地据付後に閉じる閉塞材を備えてなるようにしたものである。
【００１１】
【作用】
請求項１の本発明によれば下記(a)〜(c)の作用がある。
(a)屋根フレームに屋根材を取着した屋根構造体の完成品を、工場生産段階で、建物構造体の柱の上端部に接合してユニット化した屋根付き建物ユニットを生産できる。従って、現地では、この屋根付き建物ユニットを１回の吊り上げ作業で建物内に据付けるだけにより、屋根付きの建物を構築でき、施工時間を短縮できる。
また、屋根構造体の屋根フレームに、屋根構造体を建物構造体の上部に接合するための屋根構造体の工場生産段階での吊り上げと、屋根付き建物ユニットを現地で据付けるための屋根付き建物ユニットの現地施工段階での吊り上げの両方に共用される吊り上げ用ボルトのためのボルト取着部を備えてなるようにしたから、それらの吊り上げを簡素な構成により実現できる。
【００１２】
(b)屋根構造体は、屋根フレームに屋根材を取着した完成品とした状態で建物構造体の上部に取着されるものであり、高所作業が減り、作業性を向上できる。
【００１３】
(c)屋根付き建物ユニットを工場生産段階で生産完了するものであり、屋根の納まりや防水の確認を工場内で迅速容易に行ない、不具合の対応も早期にでき、屋根品質を向上できる。
【００１４】
請求項２の本発明によれば下記(d)の作用がある。
(d)工場生産段階で、建物構造体の柱の上端部に屋根構造体を接合するに際し、屋根構造体の接合部を建物構造体のジョイントピンに嵌合してボルト締結するものであり、施工の迅速と確実を図ることができる。
【００１５】
請求項３の本発明によれば下記(e)の作用がある。
(e)屋根構造体の屋根フレームに設けられる吊り上げ用ボルトのためのボルト取着部、
及びジョイントピンのための接合部を、該屋根フレームの４隅のそれぞれにて、同一鉛直軸上の上下に配置した。従って、屋根フレームの４隅に吊り上げ用ボルトのためのボルト取着部とジョイントピンのための接合部を設けるに際し、屋根構造体の形状をコンパクトにできる。
【００１６】
請求項４の本発明によれば下記(f)の作用がある。
(f)吊り上げ用ボルトのために屋根化粧材に設けたボルト挿通孔を、閉塞材により確実に閉じることができる。
【００１７】
【発明の実施の形態】
図１は屋根付き建物ユニットを示す模式図であり、（Ａ）は傾斜屋根タイプ、（Ｂ）はフラット屋根タイプを示す模式図、図２は建物構造体を示す模式図であり、（Ａ）は建物ユニットの躯体、（Ｂ）はジョイントピン取着構造を示す模式図、図３は建物構造体への屋根構造体の接合構造を示す模式図であり、（Ａ）は建物構造体と屋根構造体、（Ｂ）は屋根構造体の接合部とジョイントピンとの嵌合構造、（Ｃ）は屋根構造体の接合部とジョイントピンとのボルト締結構造を示す模式図、図４は水切りカバー取着構造を示す模式図、図５はコーナー屋根化粧材を示す模式図、図６は屋根化粧材のボルト挿通孔の閉塞構造を示す模式図、図７は屋根付き建物ユニットの変形例を示す模式図である。
【００１８】
屋根付き建物ユニット１０は、図１に示す如く、建物構造体１１の上部に屋根構造体２１を接合したものである。このとき、屋根構造体２１は、図１（Ａ）に示す傾斜屋根タイプ、図１（Ｂ）に示すフラット屋根タイプ等を採用できる。傾斜屋根タイプの建物ユニット１０は、斜線制限の厳しい敷地に建設する、例えば 3階建ての建物１の屋上等で用いられる（図７）。以下、傾斜屋根タイプの屋根構造体２１を用いる場合について説明する。
【００１９】
（建物構造体）（図２）
建物構造体１１は、図２（Ａ）に示す如く、角鋼管製柱１２と形鋼製床梁１３と形鋼製天井梁１４とを略箱形に接合した建物躯体からなり、この建物躯体に床面材、天井面材、壁面材を取着して構成される。建物構造体１１は、これらの全てを工場施工される。
【００２０】
建物構造体１１は、図２（Ｂ）に示す如く、柱１２の上端部（上エンドプレート１２Ａ）にジョイントピン１５を取着される。ジョイントピン１５はテーパ状の嵌合案内部１５Ａを備える。
【００２１】
（屋根構造体）（図３）
屋根構造体２１は、図３（Ａ）に示す如く、形鋼製屋根梁２２を接合した屋根フレーム２３を有し、この屋根フレーム２３に防水屋根材２４を設け、建物構造体１１との接合部の周辺には水切シート２５が設けられる。
【００２２】
屋根構造体２１は、屋根フレーム２３に吊り上げ用ボルト（ハイボルト）２６のためのボルト取着部２７を備えている。
【００２３】
屋根構造体２１は、屋根フレーム２３に建物構造体１１との接合のための接合部２８を備える。そして、屋根構造体２１は、ボルト取着部２７に取着した吊り上げ用ボルト２６を用いて吊り上げられ、接合部２８を建物構造体１１の前述したジョイントピン１５の嵌合案内部１５Ａに嵌合され（図３（Ｂ））、ボルト２９により接合部２８をジョイントピン１５にボルト締結される（図３（Ｃ））。
屋根構造体２１は、それらの全てを工場施工される。
【００２４】
（水切カバーと屋根化粧材）（図４、図５）
屋根構造体２１は、図４に示す如く、屋根フレーム２３の外側部に水切カバー３１をねじ止めされる。また、屋根構造体２１は、図５に示す如く、屋根フレーム２３のコーナー部で、水切カバー３１の外側部にコーナー屋根化粧材（パラペット）３２をねじ止めされる。尚、相隣る水切カバー３１、屋根化粧材３２の接合部はシール剤を付与されてシールされ、リベット止めされる。
【００２５】
このとき、屋根化粧材３２における屋根フレーム２３の前記ボルト取着部２７に対応する部分には、吊り上げ用ボルト２６のためのボルト挿通孔３３が設けられる。
【００２６】
屋根構造体２１は、これら水切カバー３１と屋根化粧材３２の取付けの全てを工場施工される。
【００２７】
屋根付き建物ユニット１０は、工場生産段階で以上のように建物構造体１１に屋根構造体２１を接合されてユニット化される。そして、屋根付き建物ユニット１０は、屋根構造体２１の屋根フレーム２３に設けてある前述のボルト取着部２７に吊り上げ用ボルト２６を取着し、この吊り上げ用ボルト２６を用いて現地で吊り上げられ、建物内に据付けられる。尚、吊り上げ用ボルト２６の取着のために屋根化粧材３２に設けてあるボルト挿通孔３３は、現地据付完了により、吊り上げ用ボルト２６を取外された後、板状の閉塞材３４で閉じられる（図６）。閉塞材３４は屋根化粧材３２にシール剤を付与されてシールされ、リベット止めされる。
【００２８】
従って、本実施形態によれば、以下の作用がある。
▲１▼屋根フレーム２３に屋根材２４を取着した屋根構造体２１の完成品を、工場生産段階で、建物構造体１１の柱１２の上端部に接合してユニット化した屋根付き建物ユニット１０を生産できる。従って、現地では、この屋根付き建物ユニット１０を一回の吊り上げ作業で建物内に据付けるだけで、屋根付きの建物を構築でき、施工時間を短縮できる。
【００２９】
▲２▼屋根構造体２１は、屋根フレーム２３に屋根材２４を取着した完成品とした状態で建物構造体１１の上部に取着されるものであり、高所作業が減り、作業性を向上できる。
【００３０】
▲３▼屋根付き建物ユニット１０を工場生産段階で生産完了するものであり、屋根の納まりや防水の確認を工場内で迅速容易に行ない、不具合の対応も早期にでき、屋根品質を向上できる。
【００３１】
▲４▼工場生産段階で、建物構造体１１の柱１２の上端部に屋根構造体２１を接合するに際し、屋根構造体２１の接合部２８を建物構造体１１のジョイントピン１５に嵌合してボルト締結するものであり、施工の迅速と確実を図ることができる。
【００３２】
▲５▼建物構造体１１の屋根フレーム２３に吊り上げ用ボルト２６のためのボルト取着部２７を備えた。従って、屋根構造体２１を建物構造体１１の上部に接合するための屋根構造体２１の工場生産段階での吊り上げと、屋根付き建物ユニット１０を現地で据付けるための屋根付き建物ユニット１０の現地施工段階での吊り上げの両方に、このボルト取着部２７を共用することができ、それらの吊り上げを簡素な構成により実現できる。
【００３３】
▲６▼吊り上げ用ボルト２６のために屋根化粧材３２に設けたボルト挿通孔３３を、閉塞材３４により確実に閉じることができる。
【００３４】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００３５】
【発明の効果】
以上のように本発明によれば、建物ユニットの上部に屋根を設けるに際し、現地での施工時間を短縮し、作業性を向上し、屋根品質を向上することができる。
【図面の簡単な説明】
【図１】図１は屋根付き建物ユニットを示す模式図であり、（Ａ）は傾斜屋根タイプ、（Ｂ）はフラット屋根タイプを示す模式図である。
【図２】図２は建物構造体を示す模式図であり、（Ａ）は建物ユニットの躯体、（Ｂ）はジョイントピン取着構造を示す模式図である。
【図３】図３は建物構造体への屋根構造体の接合構造を示す模式図であり、（Ａ）は建物構造体と屋根構造体、（Ｂ）は屋根構造体の接合部とジョイントピンとの嵌合構造、（Ｃ）は屋根構造体の接合部とジョイントピンとのボルト締結構造を示す模式図である。
【図４】図４は水切りカバー取着構造を示す模式図である。
【図５】図５はコーナー屋根化粧材を示す模式図である。
【図６】図６は屋根化粧材のボルト挿通孔の閉塞構造を示す模式図である。
【図７】図７は屋根付き建物ユニットの変形例を示す模式図である。
【符号の説明】
１０  屋根付き建物ユニット
１１  建物構造体
１２  柱
１３  床梁
１４  天井梁
１５  ジョイントピン
２１  屋根構造体
２３  屋根フレーム
２４  屋根材
２６  吊り上げ用ボルト
２７  ボルト取着部
２８  接合部
２９  ボルト
３２  屋根化粧材
３３  ボルト挿通孔
３４  閉塞材
【図１】
0004057148.tif 000002
【図２】
0004057148.tif 000003
【図３】
0004057148.tif 000004
【図４】
0004057148.tif 000005
【図５】
0004057148.tif 000006
【図６】
0004057148.tif 000007
【図７】
0004057148.tif 000008